(57)【要約】【課題】  エンジン駆動式空調装置の室外機の小型軽量化、能力向上、騒音低減、遮音パッキンの廃止や外板パネルの薄肉化によるコストダウン等の効果を得ることを目的とする。【解決手段】  空調装置の室外機は、冷媒が通過する熱交換器と、前記熱交換器に空気の風を送り前記熱交換器を通る冷媒と空気との間で熱交換させる、ファンと、冷媒配管と、前記熱交換器と前記ファンと前記冷媒配管とが、内部に具備される筐体と、前記筐体の表面を覆うように設置されて、防音効果等を発揮する、外板パネルとを具備する。前記熱交換器は、前記外板パネルの少なくとも一部分に組み込まれることを特徴とする。【選択図】      図１
2005055147.tif 000002
【特許請求の範囲】
【請求項１】
空調装置の室外機において、この室外機は、
冷媒が通過する熱交換器と、
前記熱交換器に空気の風を送り前記熱交換器を通る冷媒と空気との間で熱交換させる、ファンと、
冷媒配管と、
前記熱交換器と前記ファンと前記冷媒配管とが、内部に具備される筐体と、
前記筐体の表面を覆うように設置されて、防音効果等を発揮する、外板パネルと、
を具備しており、
前記熱交換器は、前記外板パネルの少なくとも一部分に組み込まれることを特徴とする空調装置の室外機。
【請求項２】
前記熱交換器は、前記外板パネルの少なくとも一部分に一体で組み込まれることを特徴とする請求項１に記載の空調装置の室外機。
【請求項３】
前記空調装置の動力源として、エンジンが具備されており、前記エンジンは前記筐体内に収容されることを特徴とする請求項１又は２のいずれかに記載の空調装置の室外機。
【発明の詳細な説明】
【技術分野】
【０００１】
本発明は、空調装置に係り、より特別にはエンジン駆動式空調装置の室外機に関する。
【背景技術】
【０００２】
近年、空調装置の室外ユニットに対して騒音低減、ＣＯＰ向上という要望がある。このため遮音パッキンや外板パネルの肉厚アップ等で騒音低減を計り、熱交換器を大型化して能力を稼いでいる。特にエンジン駆動式空調装置の室外ユニットは騒音が大きい為、一般的に２階建て構造に構成して、１Ｆ（階）に駆動源であるエンジン、冷媒配管、２Ｆに熱交換器、室外ファンを配置するレイアウトを取っている。このようなレイアウトは騒音低減の為、１Ｆ外板パネルに厚肉の遮音パッキンを貼付け、鋼板肉厚を厚くする必要がありコストが掛かる。また２Ｆに能力向上のため大型の熱交換器をのせる必要があり。ユニットが大きくなる。
【０００３】
この様な、空調装置の室外機に関連する特許として幾つかのものが提案されている。（例えば、特許文献１から５参照）
【０００４】
図４に従来のエンジン駆動式空調装置の室外機のレイアウトの例を示しており、図４を参照して、従来のエンジン駆動式空調装置の室外機について説明する。
図４の従来のレイアウトは、１Fに冷媒配管５、エンジン６、２Fに室外ファン７、熱交換器１を配置して、１Fを肉厚の厚いパネル鋼板３と遮音パッキン４を組合わせた外板パネル２で四方を覆っていた。
【０００５】
しかし従来の一般的なこの様なレイアウトは前述のごとく、騒音低減の為、１Ｆ外板パネルに厚肉の遮音パッキンを貼付け、鋼板肉厚を厚くする必要がありコストが掛かり、更に２Ｆに能力向上のため大型の熱交換器をのせる必要があり、ユニットが大きくなる。
【特許文献１】特開平第７−１１０，１４２号（第１頁）
【特許文献２】特開平第１０−３１１，６２１号（第１頁）
【特許文献３】特開平第１０−２２７，４９４号（第１頁）
【特許文献４】特開平第７−５５，２０２号（第１頁）
【特許文献５】特開平第６−２８８９号（第１頁）
【発明の開示】
【発明が解決しようとする課題】
【０００６】
本発明は、上述した事情に鑑みなされたもので、熱交換器をエンジン駆動式空調装置の室外機の外板パネルに組み込むことによって、室外機の小型軽量化、能力向上、騒音低減、遮音パッキンの廃止や外板パネルの薄肉化によるコストダウン等の効果を得ることができる装置を提供することを目的とする。
【課題を解決するための手段】
【０００７】
本発明の請求項１の形態では、空調装置の室外機は、上述した目的を達成するために、冷媒が通過する熱交換器と、前記熱交換器に空気の風を送り前記熱交換器を通る冷媒と空気との間で熱交換させる、ファンと、冷媒配管と、前記熱交換器と前記ファンと前記冷媒配管とが、内部に具備される筐体と、前記筐体の表面を覆うように設置されて、防音効果等を発揮する、外板パネルとを具備する。前記熱交換器は、前記外板パネルの少なくとも一部分に組み込まれることを特徴とする。
【０００８】
この様に、熱交換器を空調装置の室外機の外板パネルに組み込むように構成することにより、室外機の小型軽量化、能力向上、騒音低減、遮音パッキンの廃止や外板パネルの薄肉化によるコストダウン等の効果を得ることができる。
【０００９】
本発明の請求項２の形態では、上記請求項１の形態において、前記熱交換器は、前記外板パネルの少なくとも一部分に一体で組み込まれることを特徴とする請求項１に記載の空調装置の室外機。
【００１０】
この様に構成することにより、室外機の小型軽量化、外板パネルの薄肉化をより一層図ることができると共に、組立てが容易になり、これによりコストダウンをより一層図ることが出来る。
【００１１】
本発明の請求項３の形態では、上記請求項１又は２のいずれかの形態において、空調装置の動力源として、エンジンが具備されており、前記エンジンは前記筐体内に具備されることを特徴とする。
【００１２】
本形態によれば、動力用のエンジンが具備されるので、室外機の騒音レベルはより高くなるが、本形態の構成による防音効果がより一層顕著になる。
【発明を実施するための最良の形態】
【００１３】
以下、図面に基づいて本発明の実施の形態の装置を詳細に説明する。図１から図３は、本発明に係る空調装置の室外機の１つの実施の形態を図解的に示しており、図１は本発明のエンジン駆動式空調装置の室外機のレイアウト例の概略的な立体図を示し、図２と３は本発明の空調装置の外板パネル一体型熱交換器の詳細を図解的に示す立体図であり、それぞれ熱交換器を外板パネルに組み込む前と組み込んだ後の状態を示す。
図１から３を参照すると、図４の従来技術の空調装置の室外機ユニットの例の要素部分と同じ又は同様である図１から３の要素部分は、同じ参照符号により指定されている。
【００１４】
本実施の形態においては、熱交換器１内を冷媒が通過しており、室外ファン７により外気を熱交換器１に送り、外気と冷媒との間で熱交換させることにより、冷媒を冷却する。また、空調装置を駆動するためのエンジン６が具備される。
【００１５】
図１を参照すると、本発明の空調装置の室外機１０の全体のレイアウトが示されている。前述の図４に示す従来の室外機の例に対して、図１示す本実施の形態の室外機１０のレイアウトは１Fと２Fの階層分けをなくして、熱交換器１、室外ファン７、冷媒配管５、エンジン６を一つの空間に入れるように構成される。室外機１０は、鋼製の筐体８を有しており、筐体８は、鋼材により溶接、ネジ止め等の既知な方法により組み立てられており、室外機１０の構造を形成する。筐体８は、鋼以外のアルミニウム等の金属、又はプラスティックにより形成されても良い。
【００１６】
熱交換器１は、図２及び３に示すように鋼板３の内側に取り付けて、これを外板パネル２とするように構成される。本実施の形態において、筐体８は直方体形状をしており、上面には室外ファン７が設置されており、また、４つの側面の内３つの側面に熱交換器１が一体に組み込まれた外板パネル２が取り付けられている。残りの側面は従来の場合と同様な遮音パッキン組み込みの外板パネルが取り付けられており、底面は空気が通らないように塞がれている。また、４つの側面全てが熱交換器１の組み込まれた外板パネル２が取り付けられても良く、熱交換器１の組み込まれた外板パネル２の数が上記以外であっても良い。
【００１７】
上記のごとく構成されることにより、室外機１０において、室外ファン７により送られる外気は、一旦筐体８内に送り込まれ、熱交換器１が組み込まれた外板パネル２を通り筐体８外に流出する。この際、熱交換器１を通る冷媒が外気により冷却される。また、エンジン６は、周囲が外板パネル２に囲まれてることにより防音される。
【００１８】
次に上記実施の形態の効果及び作用について説明する。
本発明の上記の実施の形態の空調装置の室外機１０により以下の効果が期待できる。
・  このようなレイアウトによって室外機の外寸を小さくしても熱交換器１の大きさを確保することができ、小型軽量化と能力向上を両立することが可能となる。また熱交換器１の内部はＬＬＣ（液体）が満たされている為エンジン６、室外ファン７等の音漏れを防ぐことができる。これによって、遮音パッキン４や鋼板３の肉厚アップ等が不要となりコストを抑えることができる。
【００１９】
上記の説明において、本発明の空調装置はエンジン６を駆動源とするものとして記載されたが、該装置がエンジンを駆動源としない空調装置であっても良い。また、冷媒配管５は筐体８内に具備されていなくても良い。
【００２０】
上記の実施の形態は本発明の一例であり、本発明は、該実施の形態により制限されるものではなく、請求項に記載される事項によってのみ規定されており、上記以外の実施の形態も実施可能である。
【図面の簡単な説明】
【００２１】
【図１】図１は、本発明のエンジン駆動式空調装置の室外機の１つの実施の形態のレイアウト例の概略的な立体図である。
【図２】図２は、図１の空調装置の外板パネル一体型熱交換器の詳細を図解的に示す立体図であり、熱交換器を外板パネルに組み込む前の状態を示す。
【図３】図３は、図１の空調装置の外板パネル一体型熱交換器の詳細を図解的に示す立体図であり、熱交換器を外板パネルに組み込んだ後の状態を示す。
【図４】図４は、従来のエンジン駆動式空調装置の室外機のレイアウト例を示す立体図である。
【符号の説明】
【００２２】
１…熱交換器
２…外板パネル
３…鋼板
５…冷媒配管
６…エンジン
７…室外ファン
８…筐体
１０…室外機
【図１】
2005055147.tif 000003
【図２】
2005055147.tif 000004
【図３】
2005055147.tif 000005
【図４】
2005055147.tif 000006